(57)【要約】【課題】手乾燥運転の運転開始立ち上がり吹出風を温風にしつつ、手乾燥運転が行われなかった場合の蓄熱部７からの放熱による熱ロスを低減することを目的とする。【解決手段】手を抜き差しできる乾燥室１と、乾燥室１内に向けて空気を吹き出すノズル部２と、吸気口３から吸気しノズル部２に空気を吹き出す送風手段４と、送風手段４から吹き出す空気を加熱する加熱手段５とを備えた本体に、本体の近傍に人がいることを検知する人検知手段６と、加熱手段５に熱を蓄える蓄熱部７を設けることにより、人検知手段６が検知した時のみ蓄熱を行い、不要な蓄熱および放熱を行わず、かつ手乾燥運転時には事前に人検知手段６が検知し蓄熱部７に蓄熱が行われているため、手乾燥運転の運転開始立ち上がり吹出風を温風にしつつ、手乾燥運転が行われなかった場合の蓄熱部７からの放熱による熱ロスを低減することができる手乾燥装置を提供できる。【選択図】図１
2010125123.tif 000002
【特許請求の範囲】
【請求項１】
外部に向かって開口した挿入口から手を抜き差しできる乾燥室と、前記乾燥室内に向けて空気を吹き出すノズル部と、空気を吸込む吸気口と、前記吸気口から空気を吸気し前記ノズル部に空気を吹き出す送風手段と、前記送風手段から吹き出される空気を加熱する加熱手段とを備えた本体に、前記本体の近傍に人がいることを検知する人検知手段と、前記加熱手段に熱を蓄える蓄熱部を設けることを特徴とする手乾燥装置。
【請求項２】
蓄熱部に、蓄熱部温度検知手段を設けることを特徴とする請求項１記載の手乾燥装置。
【請求項３】
吸気口からの吸気の温度を検知する吸気温検知手段を、吸気口の近傍に設けることを特徴とする請求項１または２記載の手乾燥装置。
【請求項４】
ノズル部から吹き出す空気の温度を検知する吹出温検知手段を、ノズル部の近傍に設けることを特徴とする請求項１〜３のいずれかに記載の手乾燥装置。
【請求項５】
本体の過去の運転動作時間および運転間隔時間を記録する記録制御手段を、前記本体内に設けることを特徴とする請求項１、３、４のいずれかに記載の手乾燥装置。
【請求項６】
蓄熱部温度検知手段により加熱手段を制御し、蓄熱部に一定熱量を蓄える一定熱量制御手段を、本体内に設けることを特徴とする請求項１または２記載の手乾燥装置。
【請求項７】
蓄熱部に蓄える一定熱量値を吸気温検知手段で検知される吸気温度により決定する吸気温参照一定熱量制御手段を、本体内に設けることを特徴とする請求項６記載の手乾燥装置。
【請求項８】
本体に、照度検知手段を設けることを特徴とする請求項６記載の手乾燥装置。
【請求項９】
本体の運転時の加熱手段の加熱能力と、前記本体の運転時以外の蓄熱部に蓄熱時の加熱手段の加熱能力に差を設ける加熱能力可変制御手段を、前記本体内に設けることを特徴とする請求項１記載の手乾燥装置。
【請求項１０】
蓄熱部に、一定熱量を蓄えた後加熱手段による加熱能力を継続的に一定にする継続加熱制御手段を、本体内に設けることを特徴とする請求項６、７のいずれかに記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来、この種の洗浄後の濡れた手を乾燥させる手乾燥装置として、送風手段の吸い込み側に蓄熱を有する加熱手段で吸い込み空気を昇温させ、高速温風により手に付着した水滴を吹き飛ばし乾燥させる手乾燥装置が知られている（たとえば、特許文献１参照）。
【０００３】
以下、その手乾燥装置を、図１１を参照しながら説明する。
【０００４】
本体外郭には、下部に吸気口１０１、上部に吹き出し部１０２を有する手挿入部１０３があり、本体内部には、吸気口１０１から吸気した空気を加熱する蓄熱を有する加熱手段１０４と、空気送風する送風手段１０５があり、手挿入部１０３に高速風を吹き出す吹き出し部１０２が連通している。
【特許文献１】特許第３５０６１９８号公報
【発明の開示】
【発明が解決しようとする課題】
【０００５】
このような従来の手乾燥装置では、特に高速温風で手を乾燥させる方式において、手乾燥運転の運転開始立ち上がりの吹出風を温風にするために、手乾燥運転がいつ行われてもよいように常に蓄熱部に十分な蓄熱をすが、蓄熱部に十分な蓄熱を行っても、手乾燥運転が行われなかった場合には蓄熱部からの放熱による熱ロスが多く発生するという課題がある。
【０００６】
本発明は、このような従来の課題を解決するものであり、手乾燥運転の運転開始立ち上がり吹出風を温風にしつつ、手乾燥運転が行われなかった場合の蓄熱部からの放熱による熱ロスを低減する手乾燥装置を提供することを目的とする。
【課題を解決するための手段】
【０００７】
本発明の手乾燥装置は、上記目的を達成するために、外部に向かって開口した挿入口から手を抜き差しできる乾燥室と、前記乾燥室内に向けて空気を吹き出すノズル部と、空気を吸込む吸気口と、前記吸気口から空気を吸気し前記ノズル部に空気を吹き出す送風手段と、前記送風手段から吹き出される空気を加熱する加熱手段とを備えた本体に、前記本体の近傍に人がいることを検知する人検知手段と、前記加熱手段に熱を蓄える蓄熱部を設けるものである。
【０００８】
また、他の手段は、蓄熱部に、蓄熱部温度検知手段を設けるものである。
【０００９】
また、他の手段は、吸気口からの吸気の温度を検知する吸気温検知手段を、吸気口の近傍に設けるものである。
【００１０】
また、他の手段は、ノズル部から吹き出す空気の温度を検知する吹出温検知手段を、ノズル部の近傍に設けるものである。
【００１１】
また、他の手段は、本体の過去の運転動作時間および運転間隔時間を記録する記録制御手段を、前記本体内に設けるものである。
【００１２】
また、他の手段は、蓄熱部温度検知手段により加熱手段を制御し、蓄熱部に一定熱量を蓄える一定熱量制御手段を、本体内に設けるものである。
【００１３】
また、他の手段は、蓄熱部に蓄える一定熱量値を吸気温検知手段で検知される吸気温度により決定する吸気温参照一定熱量制御手段を、本体内に設けるものである。
【００１４】
また、他の手段は、本体に、照度検知手段を設けるものである。
【００１５】
また、他の手段は、本体の運転時の加熱手段の加熱能力と、前記本体の運転時以外の蓄熱部に蓄熱時の加熱手段の加熱能力に差を設ける加熱能力可変制御手段を、前記本体内に設けるものである。
【００１６】
また、他の手段は、蓄熱部に、一定熱量を蓄えた後加熱手段による加熱能力を継続的に一定にする継続加熱制御手段を、本体内に設けるものである。
【発明の効果】
【００１７】
本発明によれば、外部に向かって開口した挿入口から手を抜き差しできる乾燥室と、前記乾燥室内に向けて空気を吹き出すノズル部と、空気を吸込む吸気口と、前記吸気口から空気を吸気し前記ノズル部に空気を吹き出す送風手段と、前記送風手段から吹き出される空気を加熱する加熱手段とを備えた本体に、前記本体の近傍に人がいることを検知する人検知手段と、前記加熱手段に熱を蓄える蓄熱部を設けることにより、人検知手段が検知した時のみ蓄熱を行い、不要な蓄熱および放熱を行わず、かつ手乾燥運転時には事前に人検知手段が検知し蓄熱部に蓄熱が行われているため、手乾燥運転の運転開始立ち上がり吹出風を温風にしつつ、手乾燥運転が行われなかった場合の蓄熱部からの放熱による熱ロスを低減することができるという効果のある手乾燥装置を提供することができる。
【００１８】
また、蓄熱部に、蓄熱部温度検知手段を設けることにより、蓄熱部の温度が高い場合、不要な加熱手段の動作による加熱量を抑えながら熱ロスを低減することができるという効果のある手乾燥装置を提供することができる。
【００１９】
また、吸気口からの吸気の温度を検知する吸気温検知手段を、吸気口の近傍に設けることにより、吸気温度が高い場合、不要な加熱手段の動作による加熱量を抑えながら熱ロスを低減することができるという効果のある手乾燥装置を提供することができる。
【００２０】
また、ノズル部から吹き出す空気の温度を検知する吹出温検知手段を、ノズル部の近傍に設けることにより、吹き出し温度が高い場合、不要な加熱手段の動作による加熱量を抑えながら熱ロスを低減することができるという効果のある手乾燥装置を提供することができる。
【００２１】
また、本体の過去の運転動作時間および運転間隔時間を記録する記録制御手段を、前記本体内に設けることにより、蓄熱部温度検知手段を無くすことができるので、低コストで不要な加熱手段の動作による加熱量を抑えながら熱ロスを低減することができるという効果のある手乾燥装置を提供することができる。
【００２２】
また、蓄熱部温度検知手段により加熱手段を制御し、蓄熱部に一定熱量を蓄える一定熱量制御手段を、本体内に設けることにより、低吸気温度時においても、手乾燥運転開始からノズル部から温風を吹き出すことができるという効果のある手乾燥装置を提供することができる。
【００２３】
また、蓄熱部に蓄える一定熱量値を吸気温検知手段で検知される吸気温度により決定する吸気温参照一定熱量制御手段を、本体内に設けることにより、吸気温度により蓄熱部に蓄える一定熱量値を決定することにより、不要な加熱手段の動作による加熱量を抑えるとともに、蓄熱部からの放熱を抑えながら熱ロスを低減することができるという効果のある手乾燥装置を提供することができる。
【００２４】
また、本体に、照度検知手段を設けることにより、一定の照度未満では手乾燥装置を利用する人がいないため、不要な加熱手段の動作による加熱量を抑えるとともに、蓄熱部からの放熱を抑えながら熱ロスを低減することができるという効果のある手乾燥装置を提供することができる。
【００２５】
また、本体の運転時の加熱手段の加熱能力と、前記本体の運転時以外の蓄熱部に蓄熱時の加熱手段の加熱能力に差を設ける加熱能力可変制御手段を、前記本体内に設けることにより、手乾燥運転時にノズル部から吹き出される吹き出し温度が低下することを手乾燥運転時にも電源容量の範囲内で加熱手段での加熱をすることで温風を継続的に吹き出すことができるという効果のある手乾燥装置を提供することができる。
【００２６】
また、蓄熱部に、一定熱量を蓄えた後加熱手段による加熱能力を継続的に一定にする継続加熱制御手段を、本体内に設けることにより、蓄熱量が一定となり、手乾燥運転時の吹き出し温度の安定と、蓄熱部温度を一定にすることにより放熱を抑えながら熱ロスを低減することができるという効果のある手乾燥装置を提供することができる。
【発明を実施するための最良の形態】
【００２７】
本発明の請求項１記載の手乾燥装置は、外部に向かって開口した挿入口から手を抜き差しできる乾燥室と、前記乾燥室内に向けて空気を吹き出すノズル部と、空気を吸込む吸気口と、前記吸気口から空気を吸気し前記ノズル部に空気を吹き出す送風手段と、前記送風手段から吹き出される空気を加熱する加熱手段とを備えた本体に、前記本体の近傍に人がいることを検知する人検知手段と、前記加熱手段に熱を蓄える蓄熱部を設けることとしたものであり、人検知手段が手乾燥装置の近傍に人がいることを検知すると、加熱手段が動作し加熱手段で得られた熱を蓄熱部で蓄熱し、本体の手乾燥運転時に送風手段から吹き出される空気を加熱手段の蓄熱部で加熱し、送風手段から吹き出される空気の温度を上げ、ノズル部から温風を吹き出すという作用を有する。
【００２８】
また、蓄熱部に、蓄熱部温度検知手段を設けることとしたものであり、人検知手段が手乾燥装置の近傍に人がいることを検知すると、蓄熱部温度検知手段で検知された蓄熱部の温度により、加熱手段の加熱量を制御し加熱手段で得られた熱を蓄熱部で蓄熱するという作用を有する。
【００２９】
また、吸気口からの吸気の温度を検知する吸気温検知手段を、吸気口の近傍に設けることとしたものであり、人検知手段が手乾燥装置の近傍に人がいることを検知すると、吸気温検知手段で検知された吸気温度により、加熱手段の加熱量を制御し加熱手段で得られた熱を蓄熱部で蓄熱するという作用を有する。
【００３０】
また、ノズル部から吹き出す空気の温度を検知する吹出温検知手段を、ノズル部の近傍に設けることとしたものであり、人検知手段が手乾燥装置の近傍に人がいることを検知すると、吹出温検知手段で検知された吹き出し温度により、加熱手段の加熱量を制御し加熱手段で得られた熱を蓄熱部で蓄熱するという作用を有する。
【００３１】
また、本体の過去の運転動作時間および運転間隔時間を記録する記録制御手段を、前記本体内に設けることとしたものであり、人検知手段が手乾燥装置の近傍に人がいることを検知すると、本体の過去の運転動作時間および運転間隔時間を記録する記録制御手段の記録から、加熱手段の加熱量を制御し加熱手段で得られた熱を蓄熱部で蓄熱するという作用を有する。
【００３２】
また、蓄熱部温度検知手段により加熱手段を制御し、蓄熱部に一定熱量を蓄える一定熱量制御手段を、本体内に設けることとしたものであり、蓄熱部温度検知手段により加熱手段を制御し、蓄熱部に一定熱量を蓄え、人検知手段が本体の近傍に人がいることを検知すると、加熱手段の加熱量を制御し加熱手段で得られた熱を蓄熱部で更に蓄熱するという作用を有する。
【００３３】
また、蓄熱部に蓄える一定熱量値を吸気温検知手段で検知される吸気温度により決定する吸気温参照一定熱量制御手段を、本体内に設けることとしたものであり、蓄熱部に蓄える一定熱量値を吸気温度により決定し加熱手段を制御し、蓄熱部に一定熱量を蓄え、人検知手段が本体の近傍に人がいることを検知すると、加熱手段の加熱量を制御し加熱手段で得られた熱を蓄熱部で更に蓄熱するという作用を有する。
【００３４】
また、本体に、照度検知手段を設けることとしたものであり、照度検出手段により、本体の周りが一定の照度以上の場合には、蓄熱部に一定熱量の蓄熱を行い、本体の周りが一定の照度未満の場合には、蓄熱部に蓄熱を行わないという作用を有する。
【００３５】
また、本体の運転時の加熱手段の加熱能力と、前記本体の運転時以外の蓄熱部に蓄熱時の加熱手段の加熱能力に差を設ける加熱能力可変制御手段を、前記本体内に設けることとしたものであり、手乾燥運転時の加熱手段加熱能力の最大は、電源容量から加熱手段加熱能力以外の送風手段などを減算した値までとし、手乾燥運転時以外の蓄熱部に蓄熱時の加熱手段加熱能力の最大は、電源容量までとするという作用を有する。
【００３６】
また、蓄熱部に、一定熱量を蓄えた後加熱手段による加熱能力を継続的に一定にする継続加熱制御手段を、本体内に設けることとしたものであり、蓄熱部に一定熱量を蓄えた後、加熱手段による加熱能力を継続的に一定に与えるという作用を有する。
【００３７】
以下、本発明の実施の形態について、図面を参照しながら説明する。
【００３８】
（実施の形態１）
図１に示すように、外部に向かって開口した挿入口から手を抜き差しできる乾燥室１と、前記乾燥室１内に向けて空気を吹き出すノズル部２と、空気を吸込む吸気口３と、前記吸気口３から空気を吸気し前記ノズル部２に空気を吹き出す送風手段４と、前記送風手段４から吹き出される空気を加熱する加熱手段５とを備えた本体に、前記本体の近傍に人がいることを検知する人検知手段６と、前記加熱手段５に熱を蓄える蓄熱部７と、前記蓄熱部７に蓄熱部温度検知手段８と、吸気口３の近傍に吸気口３からの吸気の温度を検知する吸気温検知手段９と、ノズル部２の近傍にノズル部２から吹き出す空気の温度を検知する吹出温検知手段１０を設ける構成とする。
【００３９】
上記構成により、人検知手段６が手乾燥装置である本体の近傍に人がいることを検知すると、吸気温検知手段９で検知された吸気温度、吹出温検知手段１０で検知された吹き出し温度および蓄熱部温度検知手段８で検知された蓄熱部７の温度により、加熱手段５の加熱量を蓄熱部制御目標温度に到達するように制御させ、加熱手段５で得られた熱を蓄熱部７で蓄熱し、本体の手乾燥運転時に送風手段４から吹き出される空気を加熱手段５の蓄熱部７で加熱し、送風手段４から吹き出される空気の温度を上げ、ノズル部２から温風を吹き出す。
【００４０】
また、図１および図２で示すように、人検知手段６が手乾燥装置の近傍に人がいることを検知すると、吸気温度を検知する吸気温検知手段９がない場合（吸気温度はＫａ１とする）、加熱手段５の加熱量を制御目標となる蓄熱部温度Ｋｃ１に到達するように蓄熱部温度検知手段８で検知された蓄熱部温度で制御させ、加熱手段５で得られた熱を蓄熱部７で蓄熱し、本体の手乾燥運転時に送風手段４から吹き出される空気を加熱手段５の蓄熱部７で加熱し、送風手段４から吹き出される空気の温度を上げ、ノズル部２から温風を吹き出す。吸気温検知手段９がある場合、吸気温検知手段９で吸気温度をＫａ１と検知され、加熱手段５の加熱量を制御目標となる蓄熱部温度Ｋｃ１よりも低い温度のＫｃ２に到達するように制御する。図２の蓄熱部温度と吸気温の値は、吹き出しより温風が吹き出すように設定された値である。
【００４１】
また、図１〜図３で示すように、人検知手段６が手乾燥装置の近傍に人がいることを検知すると、吸気温検知手段９で検知された吸気温度がＫａ２の場合、加熱手段５の加熱量を制御目標となる蓄熱部温度Ｋｃ３に到達するように蓄熱部温度検知手段８で検知された蓄熱部温度で制御させ、加熱手段５で得られた熱を蓄熱部７で蓄熱し、本体の手乾燥運転時に送風手段４から吹き出される空気を加熱手段５の蓄熱部７で加熱し、送風手段４から吹き出される空気の温度を上げ、ノズル部２から温風を吹き出す。吹出温検知手段１０がある場合、加熱手段５の蓄熱部７からノズル部２までの風路に残っている保熱分（手乾燥運転により吸気温よりも高い風路温度）を検知でき、図３に示すような蓄熱部温度と吸気温の値で、吹き出しより温風が吹き出せる。吹出温検知手段１０で吹き出し温度をＫｂ１と検知され、検知された吹き出し温度Ｋｂ１から吸気温度吸気温度Ｋａ２を減算した値Ｋ１を用いて、加熱手段５の加熱量を制御目標となる蓄熱部温度Ｋｃ３よりも低い温度のＫｃ４に到達するように制御する。
【００４２】
このように本発明の実施の形態１の手乾燥装置によれば、人検知手段６が検知した時のみ蓄熱を行い、不要な蓄熱および放熱を行わず、かつ手乾燥運転時には事前に人検知手段６が検知し蓄熱部７に蓄熱が行われているため、手乾燥運転の運転開始立ち上がり吹出風を温風にしつつ、手乾燥運転が行われなかった場合の蓄熱部７からの放熱による熱ロスを低減することができ、蓄熱部７の温度が高い場合や、吸気温度が高い場合や、吹き出し温度が高い場合には、より不要な加熱手段５の動作による加熱量を抑えながら熱ロスを低減することができることとなる。
【００４３】
（実施の形態２）
実施の形態１と同じ構成については同じ番号を付し、詳細な説明は省略する。
【００４４】
実施の形態１と異なるところは、図４に示すように、本体の過去の運転動作時間および運転間隔時間を記録する記録制御手段１１を、前記本体内に設ける構成とする。
【００４５】
上記構成により、人検知手段６が手乾燥装置の近傍に人がいることを検知すると、本体の過去の運転動作時間および運転間隔時間を記録する記録制御手段１１の記録から、加熱手段５の加熱量を制御し加熱手段５で得られた熱を蓄熱部７で蓄熱する。
【００４６】
図５を用いて本体の過去の運転動作時間および運転間隔時間を記録する記録制御手段１１の記録から、加熱手段５の加熱量を制御することを説明する。図５の曲線は、蓄熱部７の送風停止時の放熱曲線を示す。前回の運転動作時間をＴｏｎとし、運転動作時（送風時）の蓄熱部からの放熱係数は停止時よりも高いことより、係数αを定義する。
【００４７】
α  ＝  運転動作時（送風時）の放熱係数  ／  停止時の放熱係数
停止時前回の運転から人検知手段６が手乾燥装置の近傍に人がいることを検知するまでの運転待機時間をＴｏｆｆとし、前回の加熱手段５で得られた熱を蓄熱部７で蓄熱した時の蓄熱部温度をＫａとすると、前回の運転動作時間をＴｏｎに係数αを乗算した時間Ｔより蓄熱部温度はＫｂと推定され、運転待機時間Ｔｏｆｆより蓄熱部温度はＫｃと推定できる。よって、人検知手段６が手乾燥装置の近傍に人がいることを検知したときの蓄熱部温度が推定できる。投入される加熱量と蓄熱部温度の関係を記録制御手段１１に記憶させておくことにより、人検知手段６が手乾燥装置の近傍に人がいることを検知したときの推定蓄熱部温度から加熱手段５の加熱量が決めることができ制御される。
【００４８】
このように本発明の実施の形態２の手乾燥装置によれば、蓄熱部温度検知手段を無くすことができるので、低コストで不要な加熱手段５の動作による加熱量を抑えながら熱ロスを低減することができることとなる。
【００４９】
（実施の形態３）
実施の形態１および２と同じ構成については同じ番号を付し、詳細な説明は省略する。
【００５０】
実施の形態１および２と異なるところは、図６に示すように、蓄熱部温度検知手段８により加熱手段５を制御し、蓄熱部７に一定熱量を蓄える一定熱量制御手段１２と、蓄えた後加熱手段５による加熱能力を継続的に一定にする継続加熱制御手段１３と、蓄熱部７に蓄える一定熱量値を吸気温検知手段９で検知される吸気温度により決定する吸気温参照一定熱量制御手段１４と、照度検知手段１５を本体内に設ける構成とする。
【００５１】
上記構成により、蓄熱部温度検知手段８により加熱手段５を制御し、蓄熱部７に蓄える一定熱量値を吸気温度により決定した一定熱量を蓄熱部７に蓄え、蓄えた後は加熱手段５による加熱能力を継続的に一定に与えて蓄熱部温度を一定に保つ。この時の蓄熱部温度は、図７に示すように、後に人検知手段６が検知して加熱手段５の加熱量を制御し加熱手段５で得られた熱を蓄熱部７で更に蓄熱するため、低めの温度で制御する。また、この時の蓄熱部温度は、図８に示すように、加熱手段５による加熱能力を継続的に一定に与えるため、低めの温度で一定に制御する。ただし、照度検出手段により、本体の周りが一定の照度未満の場合には、蓄熱部７に蓄熱を行わない。人検知手段６が本体の近傍に人がいることを検知すると、加熱手段５の加熱量を制御し加熱手段５で得られた熱を蓄熱部７で更に蓄熱し、本体の手乾燥運転時に送風手段４から吹き出される空気を加熱手段５の蓄熱部７で加熱し、送風手段４から吹き出される空気の温度を上げ、ノズル部２から温風を吹き出す。
【００５２】
例として図７で示すように、蓄熱部７に蓄える一定熱量値を吸気温度Ｋａ３により決定し、加熱手段５の加熱量を制御し蓄熱部温度をＫｃ５になるようにして加熱手段５で得られた熱を蓄熱部７に蓄える。蓄えた後は加熱手段５による加熱能力を小能力で継続的に一定に与えて蓄熱部温度Ｋｃ５を一定に保つようにする。後に人検知手段６が検知して加熱手段５の加熱量を制御し加熱手段５で得られた熱を蓄熱部７で更に蓄熱するため、ノズル部２から温風を吹き出すために必要な熱量の蓄熱部温度Ｋｃ６よりも低めの蓄熱部温度Ｋｃ５でよいため、人検知手段６が検知するまでの間に放熱する量を抑えることができる。また、加熱手段５による加熱能力を断続的にＯＮ／ＯＦＦした場合、蓄熱部温度は図８のようにＫｃ５より高めの温度で蓄熱しなくてはならないことより、小能力で継続的に一定に与えて蓄熱部温度Ｋｃ５を一定に保つことでも、放熱する量を抑えることができる。人検知手段６が本体の近傍に人がいることを検知すると、加熱手段５の加熱量をノズル部２から温風を吹き出すために必要な熱量の蓄熱部温度Ｋｃ６まで制御し、加熱手段５で得られた熱を蓄熱部７で更に蓄熱し、本体の手乾燥運転時に送風手段４から吹き出される空気を加熱手段５の蓄熱部７で加熱し、送風手段４から吹き出される空気の温度を上げ、ノズル部２から温風を吹き出す。
【００５３】
ただし、照度検出手段により、本体の周りが一定の照度未満の場合には、手乾燥装置を利用する人がいないと判断することができるため、蓄熱部７への蓄熱動作を行わないようにして、不要な加熱と放熱を抑える。
【００５４】
このように本発明の実施の形態３の手乾燥装置によれば、低吸気温度時においても、手乾燥運転開始からノズル部２から温風を吹き出すことができることとなる。
【００５５】
また、吸気温度により蓄熱部７に蓄える一定熱量値を決定することにより、不要な加熱手段５の動作による加熱量を抑えるとともに、蓄熱部７からの放熱を抑えながら熱ロスを低減することができることとなる。
【００５６】
また、一定の照度未満では手乾燥装置を利用する人がいないため、不要な加熱手段５の動作による加熱量を抑えるとともに、蓄熱部７からの放熱を抑えながら熱ロスを低減することができることとなる。
【００５７】
また、加熱手段５による加熱能力を継続的に一定にすることで蓄熱量が一定となり、手乾燥運転時の吹き出し温度の安定と、蓄熱部温度を一定にすることにより放熱を抑えながら熱ロスを低減することができることとなる。
【００５８】
（実施の形態４）
実施の形態１〜３と同じ構成については同じ番号を付し、詳細な説明は省略する。
【００５９】
実施の形態１〜３と異なるところは、図９に示すように、本体運転時の加熱手段５の加熱能力と、前記本体の運転時以外の蓄熱部７に蓄熱時の加熱手段５の加熱能力に差を設ける加熱能力可変制御手段１６を、前記本体内に設ける構成とする。
【００６０】
上記構成により、手乾燥運転時の加熱手段５加熱能力の最大は、電源容量から加熱手段５加熱能力以外の送風手段４などを減算した値までとし、手乾燥運転時以外の蓄熱部７に蓄熱時の加熱手段５加熱能力の最大は、電源容量までとする。
【００６１】
例として図１０に示すように、手乾燥運転時以外の場合、電源容量上限のＷ１で蓄熱加熱能力を行うことで短時間で蓄熱部制御目標温度に到達させることができ、手乾燥運転時は、電源容量上限のＷ１から送風能力を減算した値までを蓄熱加熱能力として使用する。このとき、送風能力が可変できる場合は、送風能力が小さければ電源容量上限のＷ１から送風能力を減算した値のＷ２までを蓄熱過熱能力とし、送風能力が大きければ電源容量上限のＷ１から送風能力を減算した値のＷ３までを蓄熱過熱能力とすることで、電源容量内で最大限の蓄熱加熱能力を取り出せる。
【００６２】
このように本発明の実施の形態４の手乾燥装置によれば、手乾燥運転時にノズル部２から吹き出される吹き出し温度が低下することを手乾燥運転時にも電源容量の範囲内で加熱手段５での加熱をすることで温風を継続的に吹き出すことができることとなる。
【産業上の利用可能性】
【００６３】
本発明の手乾燥装置は、レストランやホテルなどの洗面所やトイレに設置され、また病院や調理場においても適用できる。
【図面の簡単な説明】
【００６４】
【図１】本発明の実施の形態１の手乾燥装置の側構成図
【図２】同手乾燥装置の蓄熱部制御目標温度−吸気温、制御仕様を示す図
【図３】同手乾燥装置の蓄熱部制御目標温度−吸気温および吹出温、制御仕様を示す図
【図４】本発明の実施の形態２の手乾燥装置の側構成図
【図５】同手乾燥装置の蓄熱部の送風停止時の放熱曲線を示す図
【図６】本発明の実施の形態３の手乾燥装置の側構成図
【図７】同手乾燥装置の蓄熱部制御目標温度−吸気温、制御仕様を示す図
【図８】同手乾燥装置の時間−蓄熱部温度を示す図
【図９】本発明の実施の形態４の手乾燥装置の側構成図
【図１０】同手乾燥装置の畜熱加熱能力・送風能力−運転状態を示す図
【図１１】従来の手乾燥装置の側断面図
【符号の説明】
【００６５】
１    乾燥室
２    ノズル部
３    吸気口
４    送風手段
５    加熱手段
６    人検知手段
７    蓄熱部
８    蓄熱部温度検知手段
９    吸気温検知手段
１０  吹出温検知手段
１１  記録制御手段
１２  一定熱量制御手段
１３  継続加熱制御手段
１４  吸気温参照一定熱量制御手段
１５  照度検知手段
１６  加熱能力可変制御手段
【図１】
2010125123.tif 000003
【図２】
2010125123.tif 000004
【図３】
2010125123.tif 000005
【図４】
2010125123.tif 000006
【図５】
2010125123.tif 000007
【図６】
2010125123.tif 000008
【図７】
2010125123.tif 000009
【図８】
2010125123.tif 000010
【図９】
2010125123.tif 000011
【図１０】
2010125123.tif 000012
【図１１】
2010125123.tif 000013